(57)【特許請求の範囲】
【請求項１】
連設されたトイレブースの隣り合う仕切壁に、隣り合うトイレブースに通じる枠体を設け、この枠体内に、個々のロールペーパー支持供給手段と、個々の薬液タンクを配設すると共に、前記薬液タンクには共通する大型の薬液貯溜部を接続させ、隣り合うトイレブース側より前記枠体の開口部に開閉自在の蓋板が設けられており、
前記隣り合うトイレブースの蓋板の上部に小蓋を設け、両方のトイレブースより隣り合うトイレブースの前記ロールペーパー支持供給手段へのロールペーパーの供給および前記薬液貯溜部への薬液の補給ができるようにして成ることを特徴とする複数トイレ用ロールペーパー支持装置。
【請求項２】
前記薬液タンクの下部には押釦を備え、蓋板に開口した噴射口よりトイレ使用者の手動により、切取把持したトイレットペーパーに向けて薬液を噴霧できるようにし、便座表面を清拭除菌できるようにして成ることを特徴とする請求項１記載の複数トイレ用ロールペーパー支持装置。
【請求項３】
前記ロールペーパー支持供給手段は、蓋板に沿って上部を開口したロールペーパーの案内箱を設け、必要数のロールペーパーを積重収納すると共に、最下位のロールペーパーを手動により横方向に移動させ、支承軸内に挿通させて使用者の手作業で必要長さのペーパーを切除により使用できるようにして成ることを特徴とする請求項１記載の複数トイレ用ロールペーパー支持装置。
【発明の詳細な説明】
【技術分野】
【０００１】
本発明は、多数のトイレブースを連設した公衆トイレ等に用いられる複数トイレ用ロールペーパー支持装置に関する。
【背景技術】
【０００２】
一般に、ロールペーパーが広く用いられている。
【０００３】
このロールペーパーをトイレブース内に設置する場合、予備のものを備え付けているのが普通であるが、公衆トイレでは往々にして、盗難などの被害を蒙る場合があるので、各トイレブース毎に順次供給を兼ねて、箱状体内に多数のロールペーパーを収納する構成のものが知られている（例えば、特許文献１参照）。
【０００４】
また、各トイレブースの清掃、特にロールペーパーの補給作業は、各トイレブース毎に行っている。
【特許文献１】特許第３４７９２５７号公報
【発明の開示】
【発明が解決しようとする課題】
【０００５】
上記特許文献１は、トイレ用ロールペーパーの手動供給と盗難予防には効果が期待できるが、公衆トイレなど多数の個室を必要とする場合には、各ブース毎の構成が必要となると共に、最近では、洋式便座の表面を清掃するための薬液を備えたトイレブースも数多く知られるようになって来ているにも拘らず、この種の薬液供給手段も備えておらず、新しい時代の要望にも応えていないという不都合もある。
【０００６】
本発明は、叙上の点に着目して成されたもので、隣り合う多数のトイレブースに対して、互いに共通して壁面構造に予備ロールペーパーを収納するロールペーパー構成と、薬液を噴射できる薬液タンク構成を、相対向して配設することにより、２ブース分のロールペーパーの供給作業や、２ブース分の薬液の補給作業を１ブース分で済み、併せて同時に２ブース分のロールペーパー供給手段と薬液タンク構成を備えるので、各ブース内でのそれぞれの占有面積を小さくすることができ、全体として効率的な施工と、使用心地の優れた複数トイレ用ロールペーパー支持装置を提供することにある。
【０００７】
さらに本発明は、少なくとも隣り合うトイレブースに対し、一方のブースを利用して両方のブースのロールペーパーの供給と薬液の補給が可能な複数トイレ用ロールペーパー支持装置を提供するものである。
【課題を解決するための手段】
【０００８】
この発明は下記の構成を備えることにより上記課題を解決できるものである。
【０００９】
（１）連設されたトイレブースの隣り合う仕切壁に、隣り合うトイレブースに通じる枠体を設け、この枠体内に、個々のロールペーパー支持供給手段と、個々の薬液タンクを配設すると共に、前記薬液タンクには共通する大型の薬液貯溜部を接続させ、隣り合うトイレブース側より前記枠体の開口部に開閉自在の蓋板が設けられており、前記隣り合うトイレブースの蓋板の上部に小蓋を設け、両方のトイレブースより隣り合うトイレブースの前記ロールペーパー支持供給手段へのロールペーパーの供給および前記薬液貯溜部への薬液の補給ができるようにして成ることを特徴とする複数トイレ用ロールペーパー支持装置。
（２）前記薬液タンクの下部には押釦を備え、蓋板に開口した噴射口よりトイレ使用者の手動により、切取把持したトイレットペーパーに向けて薬液を噴霧できるようにし、便座表面を清拭除菌できるようにして成ることを特徴とする前記（１）記載の複数トイレ用ロールペーパー支持装置。
（３）前記ロールペーパー支持供給手段は、蓋板に沿って上部を開口したロールペーパーの案内箱を設け、必要数のロールペーパーを積重収納すると共に、最下位のロールペーパーを手動により横方向に移動させ、支承軸内に挿通させて使用者の手作業で必要長さのペーパーを切除により使用できるようにして成ることを特徴とする前記（１）記載の複数トイレ用ロールペーパー支持装置。
【発明の効果】
【００１３】
本発明によれば、各トイレブースに必要なロールペーパー支持供給手段や薬液タンク構成が、隣り合う２個のトイレブースの仕切壁に共通して配設して、いずれのブースからもトイレットペーパーの補充供給と、薬液タンクへの薬液供給充填とが同時に行うことができ、２ブース分の作業を１ブース分の作業を兼ねて短時間で作業でき、しかも２ブースを仕切る仕切壁に並設できるので、トイレットロールペーパーと薬液タンクの占有スーペースを最小にすることができる。
【００１４】
即ち、２トイレブースのロールペーパー支持供給手段並びに薬液タンク構成を小型コンパクトに形成でき、施工設置を効率的にしかも安価に提供できる。
【発明を実施するための最良の形態】
【００１５】
以下本発明を実施するための最良の形態を、実施例により詳しく説明する。
【実施例】
【００１６】
図面について説明する。
【００１７】
１Ａ，１Ｂ，１Ｃ，……は、トイレ２を備えた多数の隣接したトイレブース、３は仕切壁、４は仕切壁３に設けられた方形状の枠体、５，５は枠体４の隣り合う２つのブース１Ａ，１Ｂ側に臨まれる蓋板で、下端が軸支されて開閉自在となっている。
【００１８】
６，６はそれぞれの蓋板５，５の内側に設けられるロールペーパー支持供給手段であって、多数のロールペーパーＰを収納重積できる案内箱７，７を備えて、開口部８，８を開口してある。９，９は最下位のロールペーパーＰを横方向に移動させてロールペーパーＰ，Ｐを使用可能の状態に軸支できる支承棒であって、蓋板５，５の表面下部の紙切カバー１０，１０で押止される状態で使用可能のロールペーパーＰ，Ｐがセットされる。
【００１９】
１１，１１は、前記案内箱７，７に隣接した薬液タンクであって、この薬液タンク１１，１１の下端を、蓋板５，５の下部に開口した手案内スペース１２，１２の上部に臨ませて、押釦１３，１３を直接又は押板１３ａ，１３ａを介し手動で押圧することにより、薬液タンク１１，１１内の薬液を噴霧状に吐出させることができる。即ち、使用者がロールペーパーＰ，Ｐを必要長さに切断した紙切れに噴霧滴下させて、使用前の便座表面を清拭して浄化殺菌することできる。
【００２０】
１４は両薬液タンク１１，１１とパイプ１５，１５と連通させてある共通の大型の薬液貯溜部であり、前記枠体４の中央上部に配設してあり、両ブース１Ａ，１Ｂ側よりの注入部１６，１６を備える。
【００２１】
１７，１７は蓋板５，５の上部に設けた細長の小蓋で、下端縁を枢支させて開閉可能とし。作業者が両トイレブース１Ａ，１Ｂに対し、一方のトイレブース１Ａ又は１Ｂ側の蓋板５の小蓋１７を開口することにより、大型の薬液貯溜部１４への薬液補給と、両トイレブース１Ａ，１Ｂ用のロールペーパーＰの補給を行わせることができる。当然のこととして、大型の薬液貯溜部１４への補給は、パイプ１５，１５により両トイレブース１Ａ，１Ｂの薬液タンク１１への薬液補給が行われるものである。
【００２２】
なお、図において、符号１８，１８は蓋板５，５に設けた洗水用押釦で、用済後の汚物の排水を行うことができる。また、２１はフラッシュバルブであり、図４においては省略されている。
【００２３】
１９，１９は各トイレブース１Ａ，１Ｂ，１Ｃ，１Ａ，１Ｂ，１Ｃの開閉扉、２０，２０は蓋板５，５の透視孔で、ロールペーパーＰの在庫状態や薬液タンク１１，１１内の薬液の残量を視認できる。
【００２４】
以上の構成に基づいて、作用を説明する。
【００２５】
図１に示すような多数の隣接したトイレブース１Ａ，１Ｂ，１Ｃ，１Ｄ，１Ａ，１Ｂ，１Ｃ，１Ｄの互いに隣り合う２つのトイレブース１Ａ，１Ｂ，および１Ｃ，１Ｄ，１Ａ，１Ｂ，および１Ｃ，１Ｄとの仕切壁３に方形状の枠体４を組み込み、この枠体４には２つのトイレブース、例えば１Ａ，１Ｂに入室した者が、使用するロールペーパーＰおよび便座拭き用の薬液タンク１１が、蓋板５の内側に組み込まれているので、トイレ２の使用に何等支障なく使用できる。
【００２６】
また、トイレ掃除、特に管理作業等に際し、各トイレブース１Ａ，１ＢのロールペーパーＰの不足や薬液の消耗については、蓋板５の上部に設けた一方のブース１Ａ又は１Ｂの小蓋１７を開くことにより、両ブースへのロールペーパーＰの補給や、薬液貯溜部１４への補充が可能であり、特に薬液貯溜部１４は両ブース１Ａ，１Ｂへの薬液タンク１１，１１とパイプ１５，１５を介して連通させてあるので、自動的にそれぞれの薬液タンク１１，１１内へ過不足なく供給させることができる。
【００２７】
したがって、作業者は２つのトイレブースの保守管理の作業は、従来の作業の２分の１で済む利点がある。
【００２８】
さらに、２つのトイレブース１Ａ，１Ｂ、１Ｃ，１Ｄ，１Ａ，１Ｂ、１Ｃ，１Ｄに対し、隣り合う仕切り壁３にロールペーパー支持供給手段６，６，薬液タンク１１，１１などのトイレ用具が、２枚の蓋板５，５を備えた枠体４内に組み込まれているので、多数のトイレブース１Ａ，１Ｂ，１Ｃ，１Ｄ，１Ａ，１Ｂ，１Ｃ，１Ｄより成る公衆トイレの施工設置を迅速かつ低コストで、しかも全体をコンパクトに得られる。
【図面の簡単な説明】
【００２９】
【図１】多数の連続したトイレブースの一例を示した本発明の一実施例を施した全体の説明図
【図２】隣り合うトイレブースを互いに仕切壁を介して分離して示す内部構成の斜視図
【図３】図２に示す枠体の蓋板の構成を示すもので、（ａ）は表側を（ｂ）は裏側をそれぞれ示す斜視図
【図４】ロールペーパー支持供給手段と薬液タンクの構成を示す前後の蓋板と枠体との分解斜視図
【図５】枠体構成の縦断断面図
【図６】薬液タンクと薬液貯溜部との構成を示す斜視図
【符号の説明】
【００３０】
１Ａ，１Ｂ，１Ｃ・・・・・・    トイレブース
２    トイレ
３    仕切壁
４    枠体
５    蓋板
６    ロールペーパー支持供給手段
７    案内箱
８    開口部
９    支承棒
１０  紙切カバー
１１  薬液タンク
１２  手案内スペース
１３  押釦
１３ａ  押板
１４  薬液貯溜部
１５  パイプ
１６  注入部
１７  小蓋
１８  洗水用押釦
１９  開閉扉
２０  透視孔
２１  フラッシュバルブ
Ｐ    ロールペーパー
【図１】
0005367288.tif 000002
【図２】
0005367288.tif 000003
【図３】
0005367288.tif 000004
【図４】
0005367288.tif 000005
【図５】
0005367288.tif 000006
【図６】
0005367288.tif 000007